(57)【要約】【課題】  発光素子アレイの繋ぎ目における高精度での補正が可能になり、しかも、安価に構成でき、更に画像データの高速転送にも適した画像書込装置および方法を提供する。【解決手段】  ＬＰＨ１用ラインメモリ１１−１、ＬＰＨ２用ラインメモリ１１−２、ＬＰＨ３用ラインメモリ１１−３に画像データを８ビット単位で書き込むデータ取込制御部１０のアドレス制御により画像データの画素位置を８ビット単位で粗調整し、発光素子アレイ（ＬＰＨ１）に対するＬＰＨ１用データの転送を制御するＬＰＨ１用データ転送制御部１２および発光素子アレイ（ＬＰＨ３）に対するＬＰＨ３用データの転送を制御するＬＰＨ３用データ転送制御部２０の転送制御により、画像データの画素位置を１ビット単位で精調整する。【選択図】  図１
2006130890.tif 000002
【特許請求の範囲】
【請求項１】
発光素子を主走査操作方向に配列した複数の発光素子アレイを感光体に対して千鳥状に配置し、該複数の発光素子アレイに画像データを分割して転送することにより該複数の発光素子アレイの発光素子を前記画像データに対応して発光させ、該発光素子の発光により前記感光体に静電潜像を書き込む画像形成装置の画像書込装置において、
前記画像データを前記発光素子アレイに対応して各アドレスに所定の画素単位で書き込む記憶手段と、
前記記憶手段のアドレス指定により前記記憶手段から前記画像データを前記所定の画素単で取り込んで前記発光素子アレイに転送するデータ転送手段と、
前記記憶手段のアドレス制御により前記記憶手段に書き込む画像データを前記所定の画素単位で調整する第１の調整手段と、
前記データ転送手段の転送制御により前記発光素子アレイに転送する画像データを前記所定の画素単位よりも更に小さい単位で調整する第２の調整手段と
を具備することを特徴とする画像書込装置。
【請求項２】
前記発光素子アレイは、
前記感光体に対して副走査方向に所定距離離間して配置され、
前記データ転送手段は、
各発光素子アレイの副走査方向のそれぞれの配設位置のずれを補正するための画像データ遅延手段
を具備することを特徴とする請求項１記載の画像書込装置。
【請求項３】
前記第１の調整手段および前記第２の調整手段は、
前記発光素子アレイの主走査方向の繋ぎ目の部分における前記画像データの画素位置が連続するように各発光素子アレイに転送する前記画像データの画素位置を調整する 
ことを特徴とする請求項１または２記載の画像書込装置。
【請求項４】
前記第１の調整手段および前記第２の調整手段は、
前記発光素子アレイの１または複数を基準として他の発光素子アレイに転送する前記画像データを調整する
ことを特徴とする請求項１乃至３のいずれかに記載の画像書込装置。
【請求項５】
発光素子を主走査操作方向に配列した複数の発光素子アレイを感光体に対して千鳥状に配置し、該複数の発光素子アレイに画像データを分割して転送することにより該複数の発光素子アレイの発光素子を前記画像データに対応して発光させ、該発光素子の発光により前記感光体に静電潜像を書き込む画像形成装置の画像書込方法において、
前記画像データを所定の画素単位で記憶手段の各アドレスに書き込み、
前記記憶手段のアドレス指定により前記記憶手段から前記画像データを前記所定の画素単で取り込んでデータ転送手段により前記発光素子アレイに転送し、
前記記憶手段のアドレス制御により前記記憶手段に書き込む画像データを第１の調整手段により前記所定の画素単位で調整するとともに、
前記データ転送手段の転送制御により前記発光素子アレイに転送する画像データを第２の調整手段により前記所定の画素単位よりも更に小さい単位で調整する
ことを特徴とする画像書込方法。
【発明の詳細な説明】
【技術分野】
【０００１】
この発明は、電子写真プリンタ等の画像形成装置の画像書込装置および方法に関し、特に、複数の発光素子アレイを感光体に対して千鳥状に配置した画像形成装置における各発光素子アレイ間の繋ぎ目部分の機械的な取り付けずれ等に起因する画質不良を有効に補正することができるようにした画像書込装置および方法に関する。
【背景技術】
【０００２】
一般に、電子写真プリンタ等の画像形成装置においては、感光体に光を照射して静電潜像を書き込む光書き込み方式が採用されている。この光書き込みを行う画像書込装置としては、従来、レーザ光をポリゴンミラーを使用して反射させて主走査方向に光走査する方式やＬＥＤアレイなどの発光素子アレイを主走査方向に配置して走査する方式が知られている。
【０００３】
ここで、発光素子アレイを用いた走査による画像書込装置は、主走査方向に光ビームを偏向走査させるための光学的空間が不要なために装置の小型化が達成できるが、発光素子アレイとして、画像書き込み幅以上の長尺の発光素子アレイが必要になる。
【０００４】
しかし、発光素子アレイは、生産上の歩留まり等から長尺の発光素子アレイを安価に提供するのは困難である。
【０００５】
そこで、複数の発光素子アレイを感光体の主走査方向に千鳥上に配置した画像書込装置が提案されている。この複数の発光素子アレイを用いた画像書込装置によると、安価な発光素子アレイを用いて画像書き込みが可能になるが、各発光素子アレイの機械的な取り付けずれ等により発光素子アレイの繋ぎ目部分において画質不良が発生するという問題がある。
【０００６】
すなわち、発光素子アレイの繋ぎ目部分に隙間ができるとこの部分において白筋が生じ、また、発光素子アレイの繋ぎ目部分が重なると、この部分に黒筋が生じる画質不良が発生する。
【０００７】
この問題を解決する技術として特許文献１に記載されたものが知られている。この特許文献１に記載されたものにおいては、画像信号を所定の画素単位で記憶する記憶手段のアドレス制御により主走査方向の出力位置を任意に変更できるようにしたもので、このアドレス制御により発光素子アレイの繋ぎ目部分における調整や用紙端部の余白調整を行うことができる。
【特許文献１】特開２００３−２２６０３６
【発明の開示】
【発明が解決しようとする課題】
【０００８】
しかし、特許文献１に開示された装置は、記憶手段のアドレス制御により主走査方向の出力位置を調整するものであるので、記憶手段の各アドレスに記憶する画素数単位での調整しかできない。
【０００９】
すなわち、記憶手段の各アドレスに記憶する画素数が大きいと、記憶手段の記憶容量は小さくて済むが、発光素子アレイの繋ぎ目における高精度での補正はできず、この結果満足する画質が得られない。
【００１０】
また、記憶手段の各アドレスに記憶する画素数を小さくすると、発光素子アレイの繋ぎ目における補正の精度を上げることはできるが、大容量の記憶手段が必要になり、この結果コストアップに繋がり、また、画像データの高速転送に適しない。
【００１１】
そこで、この発明は、発光素子アレイの繋ぎ目における高精度での補正が可能になり、しかも、安価に構成でき、更に画像データの高速転送にも適した画像書込装置および方法を提供することを目的とする。
【課題を解決するための手段】
【００１２】
上記目的を達成するため、請求項１の発明は、発光素子を主走査操作方向に配列した複数の発光素子アレイを感光体に対して千鳥状に配置し、該複数の発光素子アレイに画像データを分割して転送することにより該複数の発光素子アレイの発光素子を前記画像データに対応して発光させ、該発光素子の発光により前記感光体に静電潜像を書き込む画像形成装置の画像書込装置において、前記画像データを前記発光素子アレイに対応して各アドレスに所定の画素単位で書き込む記憶手段と、前記記憶手段のアドレス指定により前記記憶手段から前記画像データを前記所定の画素単で取り込んで前記発光素子アレイに転送するデータ転送手段と、前記記憶手段のアドレス制御により前記記憶手段に書き込む画像データを前記所定の画素単位で調整する第１の調整手段と、前記データ転送手段の転送制御により前記発光素子アレイに転送する画像データを前記所定の画素単位よりも更に小さい単位で調整する第２の調整手段とを具備することを特徴とする。
【００１３】
また、請求項２の発明は、請求項１の発明において、前記発光素子アレイは、前記感光体に対して副走査方向に所定距離離間して配置され、前記データ転送手段は、各発光素子アレイの副走査方向のそれぞれの配設位置のずれを補正するための画像データ遅延手段を具備することを特徴とする。
【００１４】
また、請求項３の発明は、請求項１または２の発明において、前記第１の調整手段および前記第２の調整手段は、前記発光素子アレイの主走査方向の繋ぎ目の部分における前記画像データの画素位置が連続するように各発光素子アレイに転送する前記画像データの画素位置を調整する ことを特徴とする。
【００１５】
また、請求項４の発明は、請求項１乃至３のいずれかの発明において、前記第１の調整手段および前記第２の調整手段は、前記発光素子アレイの1つまたは複数を基準として他の発光素子アレイに転送する前記画像データを調整することを特徴とする。
【００１６】
また、請求項５の発明は、発光素子を主走査操作方向に配列した複数の発光素子アレイを感光体に対して千鳥状に配置し、該複数の発光素子アレイに画像データを分割して転送することにより該複数の発光素子アレイの発光素子を前記画像データに対応して発光させ、該発光素子の発光により前記感光体に静電潜像を書き込む画像形成装置の画像書込方法において、前記画像データを所定の画素単位で記憶手段の各アドレスに書き込み、前記記憶手段のアドレス指定により前記記憶手段から前記画像データを前記所定の画素単で取り込んでデータ転送手段により前記発光素子アレイに転送し、前記記憶手段のアドレス制御により前記記憶手段に書き込む画像データを第１の調整手段により前記所定の画素単位で調整するとともに、前記データ転送手段の転送制御により前記発光素子アレイに転送する画像データを第２の調整手段により前記所定の画素単位よりも更に小さい単位で調整することを特徴とする。
【発明の効果】
【００１７】
この発明によれば、画像データを所定の画素単位で記憶手段の各アドレスに書き込み、記憶手段のアドレス指定により記憶手段から画像データを所定の画素単で取り込んでデータ転送手段により発光素子アレイに転送し、記憶手段のアドレス制御により記憶手段に書き込む画像データを第１の調整手段により所定の画素単位で調整するとともに、データ転送手段の転送制御により発光素子アレイに転送する画像データを第２の調整手段により１画素単位で調整するように構成したので、発光素子アレイの繋ぎ目における高精度での補正が可能になり、しかも、安価に構成でき、更に画像データの高速転送にも適した画像書込装置および方法を提供できるという効果を奏する。
【発明を実施するための最良の形態】
【００１８】
以下、この発明に係る画像書込装置および方法を添付図面を参照して詳細に説明する。
【００１９】
図１は、この発明に係る画像書込装置の一実施例を示すブロック図である。
【００２０】
図１に示す画像書込装置は、電子写真プリンタ等の画像形成装置の画像書込装置に適用されるもので、図示しない感光体に対して主走査方向に千鳥上に配置された３本の発光素子アレイ、すなわち、発光素子アレイ（ＬＰＨ１）２１、発光素子アレイ（ＬＰＨ２）２２、発光素子アレイ（ＬＰＨ３）２３の発光制御により、感光体に入力画像データに対応する静電潜像を書き込む処理を行う。
【００２１】
なお、発光素子アレイ２１、２２、２３は、ＬＥＤ（Light Emitting Diode）等の発光素子を主走査方向に複数配列して構成されるものである。
【００２２】
データ取込制御部１０は、図示しない上位装置から入力画像データをライン単位で取り込み、このラインデータを各発光素子アレイ２１、２２、２３に対応するＬＰＨ１用ラインメモリ１１−１、ＬＰＨ２用ラインメモリ１１−２、ＬＰＨ３用ラインメモリ１１−３に分割して順次書き込む。
【００２３】
ここで、入力画像データは、例えば、パラレル８ビットのラインデータとしてデータ取込制御部１０により取り込まれ、このパラレル８ビットのラインデータを各発光素子アレイ２１、２２、２３に対応してＬＰＨ１用データ、ＬＰＨ２用データ、ＬＰＨ３用データの３つに分割して、ＬＰＨ１用ラインメモリ１１−１、ＬＰＨ２用ラインメモリ１１−２、ＬＰＨ３用ラインメモリ１１−３の各アドレスに８ビット単位でそれぞれ書き込む。
【００２４】
このデータ取込制御部１０によるＬＰＨ１用ラインメモリ１１−１、ＬＰＨ２用ラインメモリ１１−２、ＬＰＨ３用ラインメモリ１１−３に対する書き込み制御に際して、後に詳述するように、８ビット単位での画素位置の調整が行われる。
【００２５】
なお、図１では、ＬＰＨ１用ラインメモリ１１−１、ＬＰＨ２用ラインメモリ１１−２、ＬＰＨ３用ラインメモリ１１−３を別ブロックで表記したが、この３つのメモリを１つのメモリの別のアドレス領域を用いて構成するようにしてもよい。
【００２６】
ＬＰＨ１用データ転送制御部１２は、ＬＰＨ１用ラインメモリ１１−１に書き込まれたＬＰＨ１用データを取り込んで、このＬＰＨ１用データを発光素子アレイ２１に転送する制御を行う。
【００２７】
この発光素子アレイ２１に対するＬＰＨ１用データの転送に際して、後に詳述するように、１ビット単位での画素位置の調整が行われる。
【００２８】
さて、この実施例においては、３本の発光素子アレイ２１、２２、２３が、感光体の複走査方向に対して所定の距離離間して配設されているので、この離間距離を補正するために、ＬＰＨ２用データおよびＬＰＨ３用データをＬＰＨ２用ＳＲＡＭ（Static Random Access Memory）１５、ＬＰＨ３用ＳＲＡＭ１６を介して転送する遅延制御を行う。
【００２９】
すなわち、ＬＰＨ２用データＳＲＡＭ転送制御部１３は、ＬＰＨ２用ラインメモリ１１−２に書き込まれたＬＰＨ２用データを取り込んで、このＬＰＨ２用データをＬＰＨ２用ＳＲＡＭ１５に転送する。
【００３０】
ＬＰＨ２用ＳＲＡＭ１５は、上記遅延制御のために、ＬＰＨ２用データＳＲＡＭ転送制御部１３から転送されたＬＰＨ２用データを一時記憶する。
【００３１】
このＬＰＨ２用ＳＲＡＭ１５に記憶されたＬＰＨ２用データは、発光素子アレイ２２を駆動するタイミングで、ＬＰＨ２用データ取込制御部１７に取り込まれ、ＬＰＨ２用データ転送制御部１９の制御により発光素子アレイ２２に転送される。
【００３２】
なお、この実施例では、発光素子アレイ２２を基準として発光素子アレイ２１および発光素子アレイ２３の画素位置の調整を行っているので、このＬＰＨ２用データ転送制御部１９によるＬＰＨ２用データの転送制御に際しては、１ビット単位での画素位置調整は行われない。
【００３３】
同様に、ＬＰＨ３用データＳＲＡＭ転送制御部１４は、ＬＰＨ３用ラインメモリ１１−３に書き込まれたＬＰＨ３用データを取り込んで、このＬＰＨ３用データをＬＰＨ３用ＳＲＡＭ１６に転送する。
【００３４】
ＬＰＨ３用ＳＲＡＭ１６は、上記遅延制御のために、ＬＰＨ３用データＳＲＡＭ転送制御部１４から転送されたＬＰＨ３用データを一時記憶する。
【００３５】
このＬＰＨ３用ＳＲＡＭ１６に記憶されたＬＰＨ３用データは、発光素子アレイ２３を駆動するタイミングで、ＬＰＨ３用データ取込制御部１８に取り込まれ、ＬＰＨ３用データ転送制御部２０の制御により発光素子アレイ２３に転送される。
【００３６】
この発光素子アレイ２３に対するＬＰＨ３用データの転送に際しては、後に詳述するように、１ビット単位での画素位置の調整が行われる。
【００３７】
図２は、図１に示した画像書込装置における３本の発光素子アレイ２１、２２、２３の間の繋ぎ目部分における画素位置の調整制御を説明する図である。
【００３８】
この実施例においては、図２（ａ）に示すように、感光体１００の副走査方向に対して発光素子アレイ２２が発光素子アレイ２１に対して距離Ｈ１だけ離間して配置され、発光素子アレイ２３が発光素子アレイ２１に対して距離Ｈ２だけ離間して配置され、この３本の発光素子アレイ２１、２２、２３を用いて感光体１００に対する静電潜像の書き込みを行う。
【００３９】
この発光素子アレイ２１に対する発光素子アレイ２２の副走査方向のずれ（距離Ｈ１）および発光素子アレイ２１に対する発光素子アレイ２３の副走査方向のずれ（距離Ｈ２）の補正は、図１に示したＬＰＨ２用ＳＲＡＭ１５、ＬＰＨ３用ＳＲＡＭ１６を用いた構成により行われる。
【００４０】
ここで、発光素子アレイ２１と発光素子アレイ２２との繋ぎ目部分および発光素子アレイ２２と発光素子アレイ２３との繋ぎ目部分に、感光体１００の主走査方向に対して、各発光素子アレイ２１、２２、２３の印字可能領域（図２においてはクロスハッチングで示している）に隙間若しくは重なりが生じるとこの部分に白筋が生じたり黒筋が生じるするという画質不良が発生する。
【００４１】
この主走査方向における印字可能領域の隙間若しくは重なりの発生は、各発光素子アレイ２１、２２、２３の機械的取り付け誤差や各発光素子アレイ２１、２２、２３の熱膨張等に起因して発生する。
【００４２】
図２（ｂ）においては、発光素子アレイ２１と発光素子アレイ２２との繋ぎ目部分において、印字可能領域にずれＬ１（ドット）の隙間が生じ、発光素子アレイ２２と発光素子アレイ２３との繋ぎ目部分において、印字可能領域にづれＬ２（ドット）の重なり生じた場合を示している。
【００４３】
この場合、発光素子アレイ２１と発光素子アレイ２２との繋ぎ目部分で白筋が発生し、発光素子アレイ２２と発光素子アレイ２３との繋ぎ目部分で黒筋が発生する。
【００４４】
ここで、この実施例においては、発光素子アレイ２２の印字可能領域を基準として発光素子アレイ２１および発光素子アレイ２３の印字可能領域を調整するように構成されているので、図２（ｃ）に示すように、発光素子アレイ２１に対しては、その印字可能領域を、発光素子アレイ２２側にずれＬ１に対応する画素（ドット）分だけ増加させ、発光素子アレイ２３に対しては、その印字可能領域を、発光素子アレイ２２側にずれＬ２に対応する画素（ドット）分だけ減少させて、発光素子アレイ２１と発光素子アレイ２２との繋ぎ目部分における隙間および発光素子アレイ２２と発光素子アレイ２３との繋ぎ目部分における重なりをなくす調整を行う。
【００４５】
図３は、図２に示した発光素子アレイ２１と発光素子アレイ２２との繋ぎ目部分における印字可能領域の調整の詳細を示す図である。
【００４６】
図３（ａ）に示すように、発光素子アレイ２１と発光素子アレイ２２との繋ぎ目部分における印字可能領域にＬ１（ドット）の隙間が生じているとする。ここで、この隙間Ｌ１（ドット）が、
Ｌ１（ドット）＝ａ×８＋ｂ（ドット）
ただし、ａ、ｂは整数、ｂ＜８
であるとする。
【００４７】
この場合、図１に示した画像書込装置においては、ａ×８（ドット）をデータ取込制御部１０のＬＰＨ１用ラインメモリ１１−１に対する書き込みのアドレス制御により調整し、ｂ（ドット）は、ＬＰＨ１用データ転送制御部１２の転送制御より調整する。
【００４８】
例えば、Ｌ１（ドット）が、１８ドットであるとすると、２×８＝１６（ドット）をデータ取込制御部１０におけるＬＰＨ１用ラインメモリ１１−１に対する書き込みのアドレスの制御により２アドレス発光素子アレイ２２側にずらし、１８−１６＝２（ドット）をＬＰＨ１用データ転送制御部１２における転送制御により２ドット発光素子アレイ２２側にずらすことで調整する。
【００４９】
図４（ａ）に示すように、発光素子アレイ２２と発光素子アレイ２３との繋ぎ目部分における印字可能領域にＬ２（ドット）の重なりが生じているとする。ここで、この重なりＬ２（ドット）が、
Ｌ２（ドット）＝ｃ×８＋ｄ（ドット）
ただし、ｃ、ｄは整数、ｄ＜８
であるとする。
【００５０】
この場合、図１に示した画像書込装置においては、ｃ×８（ドット）をデータ取込制御部１０のＬＰＨ３用ラインメモリ１１−３に対する書き込みのアドレス制御により調整し、ｄ（ドット）は、ＬＰＨ３用データ転送制御部２０の転送制御により調整する。
【００５１】
例えば、Ｌ２（ドット）が、１０ドットであるとすると、８（ドット）をデータ取込制御部１０におけるＬＰＨ３用ラインメモリ１１−３に対する書き込みのアドレスの制御により２アドレスドット発光素子アレイ２２側にずらし、２（ドット）をＬＰＨ３用データ転送制御部２０における転送制御により２ドット発光素子アレイ２２側にずらすことで調整する。
【００５２】
図５は、印字する用紙５００と印字領域との関係を示す図である。
【００５３】
発光素子アレイ２１、２２、２３による印字可能領域は、用紙５００の印字幅よりも広く設定されている。
【００５４】
そこで、発光素子アレイ２１、２２、２３による印字領域（図５でハッチングで示す）は、発光素子アレイ２１、２２、２３に転送する画像データを用紙５００の端に合わせてシフトさせることにより調整される。
【００５５】
この印字領域の調整は、図１に示したデータ取込制御部１０におけるＬＰＨ１用ラインメモリ１１−１、ＬＰＨ２用ラインメモリ１１−２、ＬＰＨ３用ラインメモリ１１−３に対する書き込みのアドレスを順次シフトすることにより８ドット単位で行われる。
【００５６】
例えば、図５に示すように、発光素子アレイ２１の印字可能領域と印字領域とのずれが、Ｌ０（ドット）であるとすると、ＬＰＨ１用ラインメモリ１１−１に対する印字データの書込みを印字可能領域からＬ０／８アドレスずらして行い、これによりＬＰＨ１用ラインメモリ１１−１の印字可能領域からオーバーフローした印字データは、８ドット単位でＬＰＨ２用ラインメモリ１１−３の先頭に移動させ、更に、ＬＰＨ２用ラインメモリ１１−３からオーバーフローした印字データは、８ドット単位でＬＰＨ３用ラインメモリ１１−３の先頭に移動させることにより行われる。
【００５７】
なお、この印字領域の調整は、発光素子アレイ２１、２２、２３の繋ぎ目部分における調整のような画質不良の問題はないので、８ドット単位の大まかな調整で問題ない。
【００５８】
図６乃至図８は、ＬＰＨ１用ラインメモリ１１−１、ＬＰＨ２用ラインメモリ１１−２、ＬＰＨ２用ラインメモリ１１−３のアドレス構成をそれぞれ示す図である。
【００５９】
なお、図６乃至図８においては、図３または図４で説明した繋ぎ目部分の８ドット単位の調整処理および図５に示した８ドット単位の印字領域の調整処理がなされた後のＬＰＨ１用データ、ＬＰＨ２用データ、ＬＰＨ３用データを示す。
【００６０】
すなわち、図６は、ＬＰＨ１用ラインメモリ１１−１のアドレス構成を示すもので、アドレスｐ〜ｑ−１には、８ビットのＬＰＨ１用の印字データが書き込まれ、その他の領域（アドレス）には白データが書き込まれる。
【００６１】
なお、図６においては、ＬＰＨ１用の印字データ格納用の論理アドレスのみを示しており、白データを格納する領域のアドレスは省略している。
【００６２】
同様に、図７は、ＬＰＨ２用ラインメモリ１１−２のアドレス構成を示すもので、アドレスｑ〜ｒ−１には、８ビットのＬＰＨ２用の印字データが書き込まれ、その他の領域（アドレス）には白データが書き込まれる。
【００６３】
また、図８は、ＬＰＨ３用ラインメモリ１１−３のアドレス構成を示すもので、各アドレスｒ〜ｓ−１には、８ビットのＬＰＨ２用の印字データがそれぞれ書き込まれる。
【００６４】
なお、図７および図８においても、ＬＰＨ２用の印字データおよびＬＰＨ３用の印字データ格納用の論理アドレスのみを示している。
【００６５】
図６乃至図８に示すように、ＬＰＨ１用ラインメモリ１１−１、ＬＰＨ２用ラインメモリ１１−２、ＬＰＨ２用ラインメモリ１１−３は、印字データに関しては論理アドレスが連続しており、これにより、図５の印字領域の調整処理において、ＬＰＨ１用ラインメモリ１１−１の印字可能領域からオーバーフローした印字データは、８ドット単位でＬＰＨ２用ラインメモリ１１−３の先頭に移動させ、ＬＰＨ２用ラインメモリ１１−３からオーバーフローした印字データは、８ドット単位でＬＰＨ３用ラインメモリ１１−３の先頭に移動させることができる。
【００６６】
図９は、図１に示したＬＰＨ１用データ転送制御部１２の転送制御による１ビット（ドット）単位の調整処理を説明する図である。
【００６７】
図９において、図９（ａ）は、ＬＰＨ１用データ転送制御部１２の転送制御により１ドット単位の調整が行われていない状態を示す。
【００６８】
この場合、ＬＰＨ１用データ転送制御部１２は、ＬＰＨ１用ラインメモリ１１−１のアドレスを順次指定することにより、ＬＰＨ１用ラインメモリ１１−１からＬＰＨ１用データを８ビット単位で取り込み、順次発光素子アレイ２１に転送する。
【００６９】
図９（ｂ）は、ＬＰＨ１用データ転送制御部１２の転送制御により１ドット発光素子アレイ２２と反対側に調整する場合を示す。
【００７０】
この場合、ＬＰＨ１用データ転送制御部１２は、ＬＰＨ１用ラインメモリ１１−１のアドレスを順次指定することにより、ＬＰＨ１用ラインメモリ１１−１からＬＰＨ１用データを８ビット単位で取り込むが、この取り込んだ８ビット単位のＬＰＨ１用データを発光素子アレイ２２と反対側に順次１ビットシフトして発光素子アレイ２１に転送する。
【００７１】
図９（ｃ）は、ＬＰＨ１用データ転送制御部１２の転送制御により２ドット発光素子アレイ２２側に調整する場合を示す。
【００７２】
この場合、ＬＰＨ１用データ転送制御部１２は、ＬＰＨ１用ラインメモリ１１−１のアドレスを順次指定することにより、ＬＰＨ１用ラインメモリ１１−１からＬＰＨ１用データを８ビット単位で取り込むが、この取り込んだ８ビット単位のＬＰＨ１用データを発光素子アレイ２２側に順次２ビットシフトして発光素子アレイ２１に転送する。
【００７３】
なお、図１に示したＬＰＨ３用データ転送制御部２０の転送制御による１ビット（ドット）単位の調整処理も、上記と同様に行うことができる。
【００７４】
図１０は、図１に示した画像書込装置の発光素子アレイ２１、２２、２３に転送するＬＰＨ１用データ、ＬＰＨ２用データ、ＬＰＨ３用データの調整処理を示すフローチャートである。
【００７５】
図１０において、まず、発光素子アレイ（ＬＰＨ１）２１と発光素子アレイ（ＬＰＨ２）２２との間にずれがあるかを調べる（ステップ２０１）。ここで、発光素子アレイ（ＬＰＨ１）２１と発光素子アレイ（ＬＰＨ２）２２との間にずれがある場合は（ステップ２０１でＹＥＳ）、次に、そのずれが８ビット（ドット）以上かを調べる（ステップ２０２）。
【００７６】
ここで、発光素子アレイ（ＬＰＨ１）２１と発光素子アレイ（ＬＰＨ２）２２との間のずれが８ビット（ドット）以上である場合は（ステップ２０２でＹＥＳ）、データ取込制御部１０のＬＰＨ１用ラインメモリ１１−１に対する書き込みのアドレス制御により８ビット単位で上記発光素子アレイ（ＬＰＨ１）２１と発光素子アレイ（ＬＰＨ２）２２との間のずれを調整する（ステップ２０３）。
【００７７】
ステップ２０３の８ビット単位の調整が終了すると、ステップ２０２に戻り、発光素子アレイ（ＬＰＨ１）２１と発光素子アレイ（ＬＰＨ２）２２との間のずれが８ビット（ドット）以上であるかを調べる。
【００７８】
ここで、発光素子アレイ（ＬＰＨ１）２１と発光素子アレイ（ＬＰＨ２）２２との間のずれが８ビット（ドット）に満たないと判断されると（ステップ２０２でＮＯ）、ＬＰＨ１用データ転送制御部１２の転送制御より発光素子アレイ（ＬＰＨ１）２１と発光素子アレイ（ＬＰＨ２）２２との間のずれを１ビット単位で調整する（ステップ２０４）。
【００７９】
ステップ２０４の１ビット単位の調整が終了すると、ステップ２０１に戻り、発光素子アレイ（ＬＰＨ１）２１と発光素子アレイ（ＬＰＨ２）２２との間にずれがあるかを調べる。
【００８０】
ここで、発光素子アレイ（ＬＰＨ１）２１と発光素子アレイ（ＬＰＨ２）２２との間にずれがないと判断されると（ステップ２０１でＮＯ）、次に、発光素子アレイ（ＬＰＨ２）２２と発光素子アレイ（ＬＰＨ３）２３との間にずれがあるかを調べる（ステップ２０５）。ここで、発光素子アレイ（ＬＰＨ２）２２と発光素子アレイ（ＬＰＨ３）２３との間にずれがある場合は（ステップ２０５でＹＥＳ）、次に、そのずれが８ビット（ドット）以上かを調べる（ステップ２０６）。
【００８１】
ここで、発光素子アレイ（ＬＰＨ２）２２と発光素子アレイ（ＬＰＨ３）２３との間のずれが８ビット（ドット）以上である場合は（ステップ２０６でＹＥＳ）、データ取込制御部１０のＬＰＨ３用ラインメモリ１１−３に対する書き込みのアドレス制御により８ビット単位で上記発光素子アレイ（ＬＰＨ２）２２と発光素子アレイ（ＬＰＨ３）２３との間のずれを調整する（ステップ２０７）。
【００８２】
ステップ２０７の８ビット単位の調整が終了すると、ステップ２０６に戻り、発光素子アレイ（ＬＰＨ２）２２と発光素子アレイ（ＬＰＨ３）２３との間のずれが８ビット（ドット）以上であるかを調べる。
【００８３】
ここで、発光素子アレイ（ＬＰＨ２）２２と発光素子アレイ（ＬＰＨ３）２３との間のずれが８ビット（ドット）に満たないと判断されると（ステップ２０６でＮＯ）、ＬＰＨ３用データ転送制御部２０の転送制御より発光素子アレイ（ＬＰＨ２）２２と発光素子アレイ（ＬＰＨ３）２３との間のずれを１ビット単位で調整する（ステップ２０８）。
【００８４】
ステップ２０８の１ビット単位の調整が終了すると、ステップ２０５に戻り、発光素子アレイ（ＬＰＨ２）２２と発光素子アレイ（ＬＰＨ３）２３との間にずれがあるかを調べる。
【００８５】
ここで、発光素子アレイ（ＬＰＨ２）２２と発光素子アレイ（ＬＰＨ３）２３との間にずれがないと判断されると（ステップ２０５でＮＯ）、図５で説明した印字８ドット単位の印字領域の調整処理を行って（ステップ２０９）、この処理を終了する。
【００８６】
なお、上記書込アドレスの調整処理による８ビット（ドット）単位の調整および上記転送制御による１ビット（ドット）単位での調整は、実際の印字結果を参照することにより行われるが、発光素子アレイ２１と発光素子アレイ２２との繋ぎ目部分における印字可能領域のずれおよび発光素子アレイ２２と発光素子アレイ２３との繋ぎ目部分における印字可能領域のずれを電気的に検出して自動で行うように構成してもよい。
【産業上の利用可能性】
【００８７】
この発明は、複数の発光素子アレイを感光体に対して千鳥状に配置した電子写真プリンタ等の画像形成装置の画像書込装置に適用可能である。この発明によれば、画素位置を画像データを書き込むラインメモリのアドレス制御により例えば８ドット単位で粗調整し、その後、発光素子アレイに対する画像データの転送制御により１ビット単位で精調整を行うように構成したので、発光素子アレイの繋ぎ目における高精度での補正が可能になり、しかも、安価に構成でき、更に画像データの高速転送にも適した画像書込装置および方法を提供することができる。
【図面の簡単な説明】
【００８８】
【図１】この発明に係る画像書込装置の一実施例を示すブロック図である。。
【図２】図１に示した画像書込装置における発光素子アレイ間の繋ぎ目部分における画素位置の調整制御を説明する図である。
【図３】図２に示した発光素子アレイ２１と発光素子アレイ２２との繋ぎ目部分における印字可能領域の調整の詳細を示す図である。
【図４】図２に示した発光素子アレイ２２と発光素子アレイ２３との繋ぎ目部分における印字可能領域の調整の詳細を示す図である。
【図５】印字する用紙５００と印字領域との関係を示す図である。
【図６】ＬＰＨ１用ラインメモリ１１−１のアドレス構成を示す図である。
【図７】ＬＰＨ２用ラインメモリ１１−２のアドレス構成を示す図である。
【図８】ＬＰＨ３用ラインメモリ１１−３のアドレス構成を示す図である。
【図９】図１に示したＬＰＨ１用データ転送制御部１２の転送制御による１ビット（ドット）単位の調整処理を説明する図である。
【図１０】図１に示した画像書込装置の発光素子アレイ２１、２２、２３に転送するＬＰＨ１用データ、ＬＰＨ２用データ、ＬＰＨ３用データの調整処理を示すフローチャートである。
【符号の説明】
【００８９】
１０    データ取込制御部
１１−１    ＬＰＨ１用ラインメモリ
１１−２    ＬＰＨ２用ラインメモリ
１１−３    ＬＰＨ３用ラインメモリ
１２    ＬＰＨ１用データ転送制御部
１３    ＬＰＨ２用データＳＲＡＭ転送制御部
１４    ＬＰＨ３用データＳＲＡＭ転送制御部
１５    ＬＰＨ２用ＳＲＡＭ
１６    ＬＰＨ３用ＳＲＡＭ
１７    ＬＰＨ２用データ取込制御部
１８    ＬＰＨ３用データ取込制御部
１９    ＬＰＨ２用データ転送制御部
２０    ＬＰＨ２用データ転送制御部
２１、２２、２３    発光素子アレイ（ＬＰＨ）
【図１】
2006130890.tif 000003
【図２】
2006130890.tif 000004
【図３】
2006130890.tif 000005
【図４】
2006130890.tif 000006
【図５】
2006130890.tif 000007
【図６】
2006130890.tif 000008
【図７】
2006130890.tif 000009
【図８】
2006130890.tif 000010
【図９】
2006130890.tif 000011
【図１０】
2006130890.tif 000012